(57)【要約】 構造が簡単で部品点数が少なくコスト的に有利であって、収納時の収納スペースが少ないことを目的とする。 ディスプレイの背面部から下方へ延びてその下端部に水平方向前方に延びる補助脚部１２が設けられた主脚１１と、補助脚部１２に対し水平方向左右に延びる軸２１を中心として回動可能に連結された台部材６とを有し、台部材６には、使用状態で軸２１よりも前方において補助脚部１２の底面と当接する連結部３２と、連結部３２が補助脚部１２の底面と当接した状態において台部材６が回動しないように係止する係止部４２と、使用状態で少なくとも補助脚部１２の先端よりも前方において設置面に当接する前方支持部３４とが設けられる。
2007086097.tif 000002
【特許請求の範囲】
【請求項１】
ディスプレイを支持するためのディスプレイ支持装置であって、
前記ディスプレイの背面部から下方へ延びてその下端部に水平方向前方に延びる補助脚部が設けられた主脚と、
前記補助脚部に対し水平方向左右に延びる軸を中心として回動可能に連結された台部材と、を有し、
前記台部材には、
使用状態で前記軸よりも前方において前記補助脚部の底面と当接する当接部と、
前記当接部が前記補助脚部の底面と当接した状態において前記台部材が回動しないように係止する係止部と、
使用状態で少なくとも前記補助脚部の先端よりも前方において設置面に当接する前方支持部と、が設けられてなる、
ことを特徴とするディスプレイ支持装置。
【請求項２】
前記補助脚部と前記台部材とは、その一方に設けられた軸部材とその他方に設けられて前記軸部材が挿入される軸穴とによって回動可能に連結されており、且つ、前記軸穴は前記軸部材が前後方向に移動可能なように長穴となっており、
前記台部材を前記補助脚部に対して前方に移動させることによって前記係止部による係止が解除されるようになっている、
請求項１記載のディスプレイ支持装置。
【請求項３】
前記台部材には、使用状態において前記台部材が前記補助脚部に対して前方に移動しないように規制する規制部材が設けられてなる、
請求項２記載のディスプレイ支持装置。
【請求項４】
前記台部材は、前記当接部が前記補助脚部の底面と当接する使用位置から、前記当接部が前記軸のほぼ真上に位置する収納位置までの間において回動可能であり、
前記台部材には、前記収納位置を維持するための係合部が設けられてなる、
請求項１ないし３のいずれかに記載のディスプレイ支持装置。
【請求項５】
前記台部材は、
前記補助脚部の左右両側に位置する２つの主台部と、
前記２つの主台部を互いに連結する連結部と、を有し、
前記連結部の上面が前記当接部となっている、
請求項２ないし４のいずれかに記載のディスプレイ支持装置。
【請求項６】
前記係止部は、前記主台部から左右方向内側に突出した突出部と、前記補助脚部の前記突出部に当接する部分と、によって構成されている、
請求項５記載のディスプレイ支持装置。
【請求項７】
前記補助脚部は、その上面が前方に向かって低くなるような傾斜面を有し、前記傾斜面が前記突出部に当接する部分となっている、
請求項６記載のディスプレイ支持装置。
【請求項８】
前記規制部材は、前記突出部において下方に突出する爪部と、前記補助脚部の前記突出部に当接する部分に設けられて前記爪部が係合する係合溝と、によって構成されている、  請求項６または７記載のディスプレイ支持装置。
【請求項９】
前記主脚および前記台部材は、それぞれ合成樹脂によって一体に成形されてなる、
請求項１ないし８のいずれかに記載のディスプレイ支持装置。
【発明の詳細な説明】
【技術分野】
【０００１】
本発明は、液晶パネルなどからなるディスプレイを支持するためのディスプレイ支持装置に関する。
【背景技術】
【０００２】
従来より、液晶パネルやプラズマディスプレイパネルなどの薄型ディスプレイを支持するために、鉛直面内で回動可能ないわゆるチルト機構を有する支持装置が種々提案されている。【０００３】
例えば、特許文献１に開示された支持装置は、ディスプレイの画面が前方に傾くように筐体に収容され、筐体が台座上で上下に揺動調節可能なように角度調整機構によって支持される。角度調整機構は、筐体または台座の一方に設けられ、水平方向でかつ左右方向に伸びる軸心を中心とした後方に凸の円周上に設けられた第１案内部と、筐体または台座の他方に設けられ第１案内部に対して上下方向に摺動可能な第２案内部と、第１案内部と第２案内部とが摺動する際にその摺動を妨げる方向に抵抗力を発生する抵抗手段と、第１案内部と第２案内部とを常時接触させる支持手段とを備えている。【０００４】
また、特許文献２に開示された支持装置は、台座に対して移動可能に設けたスライダと、ディスプレイの背面に固定されて下端がスライダに回動自在に軸支された取付部材と、上端が取付部材に対して移動可能に連結され下端がスライダに回動自在に軸支された回動プレートとを有し、回動プレートと台座とを蝶ネジによって固定する。
【特許文献１】特開２０００−２５９０８５
【特許文献２】特開２０００−２０００４８
【発明の開示】
【発明が解決しようとする課題】
【０００５】
しかし、上に述べた従来のいずれのディスプレイ支持装置も、構造が複雑で部品点数が多く、製造コストがかかるという問題があった。【０００６】
また、特に特許文献１のディスプレイ支持装置では、筐体と台座とが傾動するようにはなっているが、ディスプレイ支持装置を収納する場合に台座が突出するためその収納スペースが大きくなるという問題がある。また、特許文献２のディスプレイ支持装置では、その収納時に、回動プレートがスライドして台座がディスプレイの背面に沿うようになっているが、やはり部品点数が多く組み立て工数が多い点が問題である。【０００７】
本発明は、上述の問題に鑑みてなされたもので、構造が簡単で部品点数が少なくコスト的に有利であって、収納時の収納スペースも少なくて済むディスプレイ支持装置を提供することを目的とする。
【課題を解決するための手段】
【０００８】
本発明に係るディスプレイ支持装置は、前記ディスプレイの背面部から下方へ延びてその下端部に水平方向前方に延びる補助脚部が設けられた主脚と、前記補助脚部に対し水平方向左右に延びる軸を中心として回動可能に連結された台部材と、を有し、前記台部材には、使用状態で前記軸よりも前方において前記補助脚部の底面と当接する当接部と、前記当接部が前記補助脚部の底面と当接した状態において前記台部材が回動しないように係止する係止部と、使用状態で少なくとも前記補助脚部の先端よりも前方において設置面に当接する前方支持部と、が設けられてなる。【０００９】
好ましくは、前記補助脚部と前記台部材とは、その一方に設けられた軸部材とその他方に設けられて前記軸部材が挿入される軸穴とによって回動可能に連結されており、且つ、前記軸穴は前記軸部材が前後方向に移動可能なように長穴となっており、前記台部材を前記補助脚部に対して前方に移動させることによって前記係止部による係止が解除されるようになっている。【００１０】
また、前記台部材には、使用状態において前記台部材が前記補助脚部に対して前方に移動しないように規制する規制部材が設けられてなる。
【図面の簡単な説明】
【００１１】
【図１】本発明に係るディスプレイ支持装置の一部を断面した右側面図である。
【図２】ディスプレイ支持装置の背面図である。
【図３】主脚の斜視図である。
【図４】補助脚部および軸の連結構造の例を示す断面図である。
【図５】補助脚部および軸の連結構造の他の例を示す断面図である。
【図６】台部材の斜視図である。
【図７】規制部材を設けた台部材および補助脚部の要部を示す断面図である。
【図８】補助脚部に設けた規制部材の部分の斜視図である。
【図９】台部材の収納位置を維持するための係合部の他の例を示す図である。
【発明を実施するための最良の形態】
【００１２】
図１は本発明に係るディスプレイ支持装置１の一部を断面した右側面図、図２はディスプレイ支持装置１の背面図、図３は主脚５の斜視図、図４は補助脚部１２および軸２１の連結構造の例を示す断面図、図５は補助脚部１２および軸２１Ａの連結構造の他の例を示す断面図、図６は台部材６の斜視図である。【００１３】
図１および図２において、ディスプレイ支持装置１は、ディスプレイＤＳを支持するためのものであり、主脚５および台部材６を有する。【００１４】
主脚５は、ディスプレイＤＰの背面部から下方へ延びる支柱部１１と、支柱部１１の下端部に連続して設けられて水平方向前方に延びる補助脚部１２とを有する。支柱部１１は、図２に示されるように背面視において矩形の板状であり、図１に示されるように側面視において緩いカーブを描いて垂直方向に延びる。【００１５】
支柱部１１の上端部には、水平方向左右に突出した円柱状の連結軸１３が設けられ、連結軸１３が、ディスプレイＤＰの背面部の背面カバー１０に設けられた図示しない軸受けによって回動可能に軸支されている。これによって、ディスプレイＤＰは、ディスプレイ支持装置１に対してチルト可能に支持される。【００１６】
図３によく示されるように、補助脚部１２は、平面視で略矩形状であり、その上面が前方に向かって低くなるような傾斜面１２ａを有する。補助脚部１２の両側面からは、水平方向左右に延びる円柱状の軸２１が突出して設けられている。【００１７】
主脚５は、全体が合成樹脂によって一体に成形されている。しかし、例えば軸２１についてはこれを別体で製作し、組み立てによって補助脚部１２に連結する構造としてもよい。【００１８】
すなわち、図４に示すように、合成樹脂または金属材料によって、補助脚部１２の幅寸法よりも長い円柱状の軸２１を製作する。補助脚部１２に貫通穴１２１を設け、その貫通穴１２１に軸２１を挿通し、接着剤やネジなどで固定する。【００１９】
また、図５に示すように、合成樹脂または金属材料によって、円柱状部２１１とその端面から突出するネジ部２１２とによって軸２１Ａを製作する。補助脚部１２の両側面にネジ穴１２２を設け、左右のネジ穴１２２にネジ部２１２をそれぞれねじ込む。また、ネジ部２１２に代えて円柱状の突起を設け、その突起を補助脚部１２の両側面の穴に嵌入して固定してもよい。その場合に、必要に応じて接着剤を用いてもよい。【００２０】
さて、台部材６は、互いに平行に配置された２つの主台部３１ａ、３１ｂ、２つの主台部３１ａ、３１ｂを互いに連結する連結部３２、および先端棒部３３などからなる。【００２１】
２つの主台部３１ａ、３１ｂは、互いにほぼ同じ形状であり、側面視が補助脚部１２の外形と略相似であり且つそれよりも大きい形状を有する。主台部３１ａ、３１ｂの後端部には、長穴からなる軸穴４１がそれぞれ設けられる。【００２２】
軸穴４１には、主脚５に設けられた軸２１が挿通され、これによって、台部材６は、軸２１を中心として回動可能に連結されている。また、軸穴４１が長穴であるため、台部材６は、回動可能であるだけでなくその長手方向にも若干の距離だけ移動可能である。【００２３】
各主台部３１ａ、３１ｂには、その内側の側面に、上面と面一で内側に突出する係止部４２、４２が設けられる。係止部４２、４２は、ディスプレイ支持装置１の使用状態において補助脚部１２の傾斜面１２ａと当接し、台部材６が回動しないように係止する。係止部４２は、本発明における突出部に相当する。【００２４】
連結部３２は、平面視で矩形の板状であり、軸２１よりも前方に設けられている。ディスプレイ支持装置１の使用状態において、連結部３２の上面に補助脚部１２の底面が当接する。連結部３２またはその上面は、本発明における当接部に相当する。【００２５】
先端棒部３３は、丸棒状であって、２つの主台部３１ａ、３１ｂの先端部の間を連結するように設けられている。【００２６】
ディスプレイ支持装置１の使用状態においては、図１に示すように、補助脚部１２の底面は連結部３２の上面と当接し、補助脚部１２の傾斜面１２ａは係止部４２と当接し、また、軸２１が軸穴４１の中にあるから、台部材６は主脚５に対して回動しない。その状態で、台部材６の主台部３１ａ、３１ｂの底面は、設置面ＦＬに当接する。主台部３１ａ、３１ｂの先端部分３４は、補助脚部１２の先端よりも前方において設置面ＦＬに当接し、これによってディスプレイＤＰが前に倒れないように、十分に安定した状態で支持される。主台部３１ａ、３１ｂの先端部分３４は、本発明における前方支持部に相当する。【００２７】
このように、主台部３１ａ、３１ｂの長さおよび横幅の寸法は、ディスプレイＤＰを安定的に支持できる程度に大きく設定されている。【００２８】
台部材６は、全体を合成樹脂によって一体に成形することによって製作することができる。しかし、例えば、先端棒部３３を金属材料によって別体で製作し、後で取り付けるようにしてもよい。また、連結部３２を合成樹脂または金属材料によって別体で製作し、後で取り付けて台部材６の全体を組み立てるようにしてもよい。【００２９】
台部材６は、図１に示す位置が使用位置である。使用位置では、上に述べたように、台部材６の先端部が十分に前方に位置し、ディスプレイＤＰを安定的に支持する。台部材６は、次に説明するように、収納スペースを少なくするような収納位置とすることができる。【００３０】
すなわち、図１に示す状態から、ディスプレイＤＰの全体を若干持ち上げ、主脚５に対して台部材６を前方（矢印Ｍ１方向）に手で引っ張って移動させる。そうすると、係止部４２が傾斜面１２ａから離れて係止部４２による係止が解除され、台部材６は図１の反時計回りに回動可能となる。そこで、台部材６を約２７０度回動させ、台部材６を軸２１のほぼ真上に位置させることができる。この位置が収納位置である。なお、台部材６が主脚５と干渉することなく回動可能なように、連結部３２の位置および寸法が設定されている。【００３１】
ディスプレイ支持装置１の収納状態では、台部材６の先端部がディスプレイＤＰよりも前方に出ることがなく、また台部材６が背面カバー１０にほぼ沿った状態となることから、ディスプレイＤＰおよびディスプレイ支持装置１の全体の収納スペースが少なくて済む。【００３２】
したがって、ディスプレイＤＰを使用しないときに、台部材６を収納位置とし、ディスプレイＤＰを例えば机の隅などの少ないスペースに置いておくことができる。また、ディスプレイＤＰの出荷時や搬送時において、その容積が小さくなり、ディスプレイＤＰを梱包する際の梱包材料も少なくて済み、コストダウンを図ることができる。【００３３】
また、本実施形態のディスプレイ支持装置１は、従来のような複雑な折り畳み構造ではなく、簡単な構造であって部品点数が少ないので、コスト的に有利である。【００３４】
なお、収納状態において、台部材６の先端棒部３３を、背面カバー１０または適当な部材に設けられたフック５１に上方から挿入するようにして引っ掛けておけばよい。したがって、先端棒部３３は、本発明における収納位置を維持するための係合部に相当する。【００３５】
次に、ディスプレイ支持装置１の変形例について説明する。【００３６】
上に述べた実施形態のディスプレイ支持装置１では、補助脚部１２が連結部３２と係止部４２との間に挿入されたときに、補助脚部１２の傾斜面１２ａによる楔作用によってある程度の抜け止め効果がある。しかし、抜け止めを確実にするために、次に説明するような構造を採用してもよい。【００３７】
図７は抜け止めのための規制部材６０を設けた台部材６Ｂおよび補助脚部１２Ｂの要部を示す断面図、図８は補助脚部１２Ｂに設けた規制部材６０の部分の斜視図である。【００３８】
図７および図８において、台部材６Ｂおよび補助脚部１２Ｂには、使用状態において台部材６Ｂが補助脚部１２Ｂに対して前方（矢印Ｍ１方向）に移動しないように規制する規制部材６０が設けられている。【００３９】
規制部材６０は、係止部４２Ｂにおいて下方に突出する爪部６１、および、補助脚部１２Ｂの爪部６１に当接する部分に設けられて爪部６１が係合する係合溝６２によって構成される。係合溝６２は、補助脚部１２Ｂの傾斜面１２ａに設けられた凹部に、補助脚部１２Ｂの一部から板状に延びて可撓性を有する係止片６３が設けられることによって形成される。【００４０】
すなわち、爪部６１は、係合溝６２に嵌まり込んだときに、係止片６３の先端部に当接することとなり、これによって台部材６Ｂの前方への移動が規制される。係止片６３を上方から矢印Ｍ２方向に指で押すと、図７に鎖線で示すように係止片６３が撓み、爪部６１と係止片６３との係止が解除される。【００４１】
上に述べた実施形態のディスプレイ支持装置１では、台部材６を収納位置に維持しておくために、先端棒部３３をフック５１に引っ掛けた。これに代えて、次に説明するような構造を採用してもよい。【００４２】
図９は台部材６Ｃの収納位置を維持するための係合部の他の例を示す図である。【００４３】
図９において、台部材６Ｃには、軸穴４１に連続する係合穴７１が設けられている。係合穴７１は、軸穴４１の幅寸法よりも狭く形成されている。主脚５に設けられた軸２１Ｃは、２面幅７２，７２が設けられており、台部材６Ｃを収納位置としたときに、２面幅７２，７２が係合穴７１に嵌まり込み、軸２１Ｃに対して台部材６Ｃが回動不能となる。これによって、台部材６Ｃの収納位置が維持される。【００４４】
したがって、図９における係合穴７１および２面幅７２，７２は、本発明における係合部に相当する。【００４５】
上に述べた実施形態において、補助脚部１２に軸２１を設けることに代えて、補助脚部１２に軸穴を設け、主台部３１ａ、３１ｂの外側面から挿入した軸ピンがその軸穴に嵌まり込むように構成してもよい。また、図８に示す係止片６３に代えて、係止片６３の表面に線状の多数の溝を設け、爪部６１の先端がその溝に嵌まり込むことによって最適の位置で係止するようにしてもよい。【００４６】
上に述べた実施形態においては、補助脚部１２の上面を傾斜面１２ａとしたが、傾斜面１２ａとすることなく、底面と平行な面としてもよい。つまり、補助脚部１２の全体形状を楔状とすることなく、直方体状としてもよい。主台部３１ａ、３１ｂの底面に、合成ゴムなどからなる円板状のクッションを貼り付けてもよい。その場合には、主台部３１ａ、３１ｂの最前方に位置するクッションが、本発明における前方支持部となる。主脚５の連結軸１３とディスプレイＤＰとの連結構造は、上に述べた以外の種々の構造を採用することができる。【００４７】
その他、主脚５、台部材６、またはディスプレイ支持装置１の全体または各部の構造、形状、寸法、個数、材質などは、本発明の趣旨に沿って適宜変更することができる。
【図１】
2007086097.tif 000003
【図２】
2007086097.tif 000004
【図３】
2007086097.tif 000005
【図４】
2007086097.tif 000006
【図５】
2007086097.tif 000007
【図６】
2007086097.tif 000008
【図７】
2007086097.tif 000009
【図８】
2007086097.tif 000010
【図９】
2007086097.tif 000011
【手続補正書】
【提出日】平成20年6月2日(2008.6.2)
【手続補正１】
【補正対象書類名】特許請求の範囲
【補正対象項目名】全文
【補正方法】変更
【補正の内容】
【特許請求の範囲】
【請求項１】
ディスプレイを支持するためのディスプレイ支持装置であって、
前記ディスプレイの背面部から下方へ延びてその下端部に水平方向前方に延びる補助脚部が設けられた主脚と、
前記補助脚部に対し水平方向左右に延びる軸を中心として回動可能に連結された台部材と、を有し、
前記台部材には、
使用状態で前記軸よりも前方において前記補助脚部の底面と当接する当接部と、
前記当接部が前記補助脚部の底面と当接した状態において前記台部材が回動しないように係止する係止部と、
使用状態で少なくとも前記補助脚部の先端よりも前方において設置面に当接する前方支持部と、が設けられてなる、
ことを特徴とするディスプレイ支持装置。
【請求項２】
前記補助脚部と前記台部材とは、その一方に設けられた軸部材とその他方に設けられて前記軸部材が挿入される軸穴とによって回動可能に連結されており、且つ、前記軸穴は前記軸部材が前後方向に移動可能なように長穴となっており、
前記台部材を前記補助脚部に対して前方に移動させることによって前記係止部による係止が解除されるようになっている、
請求項１記載のディスプレイ支持装置。
【請求項３】
前記台部材には、使用状態において前記台部材が前記補助脚部に対して前方に移動しないように規制する規制部材が設けられてなる、
請求項２記載のディスプレイ支持装置。
【請求項４】
前記台部材は、前記当接部が前記補助脚部の底面と当接する使用位置から、前記当接部が前記軸のほぼ真上に位置する収納位置までの間において回動可能であり、
前記台部材には、前記収納位置を維持するための係合部が設けられてなる、
請求項１ないし３のいずれかに記載のディスプレイ支持装置。
【請求項５】
表示部の背面部から下方へ延びてその下端部に水平方向前方に延びる補助脚部が設けられた主脚と、
前記補助脚部に対し水平方向左右に延びる軸を中心として回動可能に連結された台部材と、を有し、
前記台部材には、
使用状態で前記軸よりも前方において前記補助脚部の底面と当接する当接部と、
前記当接部が前記補助脚部の底面と当接した状態において前記台部材が回動しないように係止する係止部と、
使用状態で少なくとも前記補助脚部の先端よりも前方において設置面に当接する前方支持部と、
が設けられてなる支持部を有する表示装置。
【国際調査報告】
2007086097.tif 000012
2007086097.tif 000013
2007086097.tif 000014
2007086097.tif 000015